(57)【特許請求の範囲】
【請求項１】
後方外周端部を有するレンズカップと、
該レンズカップの後方外周端部の周りを延在し、装着者の顔をシールする外周シール部とを備え、
該外周シール部は、装着者の顔の眼窩の周りの輪郭に実質的に対応するように予備成形されたフェースコンタクト面を有し、装着者の鼻に隣接する内側面領域と、該内側面領域の反対側に位置する外側面領域と、該内側面領域と該外側面領域との間に位置する上方領域及び下方領域とを有し、前記フェースコンタクト面の両側に延在する側面部をさらに有し、
該側面部は、前記フェースコンタクト面を前記レンズカップに連結し、
ゴーグルを装着した場合に装着者の顔に沿って水平に延在するｘ軸方向、ゴーグルを装着した場合に装着者の顔に沿って垂直に延在するｙ軸方向、ゴーグルを装着した場合に装着者の眼の瞳孔中央の面に対して略垂直に延在するｚ軸方向のうち、２方向又は全３方向に対して、前記フェースコンタクト面の向きが、連続的に変更しながら前記レンズカップの後方外周端部の周りを延在し、
前記内側面領域と前記外側面領域のフェースコンタクト面の向きが実質的に同一方向となるように、前記フェースコンタクト面の向きが変更するゴーグルにおいて、
前記側面部と前記フェースコンタクト面との間の変位領域で湾曲角部が形成され、
角部を形成せず前記フェースコンタクト面と前記側面部との間が滑らかに変位するように、前記フェースコンタクト面は前記側面部と融合する、ゴーグル。
【請求項２】
粘着性充填物質が、前記フェースコンタクト面と前記側面部と前記レンズカップの後方外周端部とで規定される空洞部に充填される、請求項１に記載のゴーグル。
【請求項３】
前記レンズカップの後方外周端部が、前記フェースコンタクト面の形状と一致又は類似する形状で構成される、請求項１又は２に記載のゴーグル。
【請求項４】
前記外周シール部が、前記フェースコンタクト面から突出するフランジ部を備える、請求項１〜３のいずれかに記載のゴーグル。
【請求項５】
前記フェースコンタクト面の幅が、上方領域及び下方領域よりも、内側面と外側面の両方又はいずれか一方の領域において広く構成される、請求項１〜４のいずれかに記載のゴーグル。
【請求項６】
前記フェースコンタクト面の前記内側面領域における幅が、５ｍｍ〜９ｍｍである、請求項５に記載のゴーグル。
【請求項７】
前記フェースコンタクト面の前記外側面領域における幅が、８ｍｍ〜１２ｍｍである、請求項５又は６に記載のゴーグル。
【請求項８】
前記フェースコンタクト面のｚ軸全体における最適平面からの偏差が、少なくとも、５ｍｍ又は１０ｍｍである、請求項１〜７のいずれかに記載のゴーグル。
【請求項９】
前記フェースコンタクト面が、前記内側面領域及び前記外側面領域において、ｘｙ平面に対して３０度〜６０度の角度で構成される、請求項１〜８のいずれかに記載のゴーグル。
【請求項１０】
ゴーグルのレンズカップの後方外周端部の周りを延在して装着者の顔をシールし、
装着者の鼻に隣接する内側面領域と、該内側面領域の反対側に位置する外側面領域と、該内側面領域と該外側面領域との間に位置する上方領域及び下方領域とを有し、
装着者の顔の眼窩の周りの輪郭に実質的に対応するように予備成形されたフェースコンタクト面と、該フェースコンタクト面を前記レンズカップに連結する側面部とをさらに有し、
該側面部は、前記フェースコンタクト面を前記レンズカップに連結し、
ゴーグルを装着した場合に装着者の顔に沿って水平に延在するｘ軸方向、ゴーグルを装着した場合に装着者の顔に沿って垂直に延在するｙ軸方向、ゴーグルを装着した場合に装着者の眼の瞳孔中央の面に対して略垂直に延在するｚ軸方向のうち、２方向又は全３方向に対して、前記フェースコンタクト面の向きが、連続的に変更しながら前記レンズカップの後方外周端部の周りを延在し、
前記内側面領域と前記外側面領域のフェースコンタクト面の向きが実質的に同一方向となるように、前記フェースコンタクト面の向きが変更する外周シール部において、
前記側面部と前記フェースコンタクト面との間の変位領域で湾曲角部が形成され、
角部を形成せず前記フェースコンタクト面と前記側面部との間が滑らかに変位するように、前記フェースコンタクト面は前記側面部と融合する、外周シール部。
【発明の詳細な説明】
【技術分野】
【０００１】
本発明は、ゴーグルに関するが、例えば、スイミングゴーグルのようなスポーツゴーグルに限定されるものではない。
【背景技術】
【０００２】
スイミングゴーグルは、通常、レンズカップを２つ有する。レンズカップの後方には、それぞれ、外周シール部が設けられる。この外周シール部は、レンズカップの後方の空間領域を覆い、装着者の顔に対してシールを施す。２つのレンズカップの内側面（装着者の鼻に隣接する側面）に、装着者の鼻を横断して延在する連結片が取り付けられ、該連結片を介して、レンズカップが相互に連結されている。ヘッドストラップは、レンズカップの外側面（装着者の耳に隣接する側面）に取り付けられ、装着者の後頭部の周りを締め付けてゴーグルを適切な位置に保持する。
【発明の開示】
【発明が解決しようとする課題】
【０００３】
前記外周シール部は、通常、発泡材質の環状パッドからなる。前記発泡材質のパッドは、ヘッドストラップを介して圧力が加わると、装着者の顔の輪郭に適合するように変形する。前記パッドと装着者の顔との間を効果的にシールできるように、ヘッドストラップの締め付けを強くしなければならないが、このような締め付けは、装着者にとっては不快感を伴う原因となる。
【０００４】
前記発泡材質のパッドの代わりに、環状の軟質ゴム製フランジが、一般的に、シール部としてよく使用される。前記フランジは、レンズカップの周壁とほぼ同一の傾斜角度で、レンズカップのリムから延在している。前記フランジによるシールは、ガスケットタイプのシールとして知られている。装着者の顔に接触している時にレンズカップの後方の空間から空気を抜くと、前記フランジは、装着者の顔の輪郭に実質的に適合するように変形する。空気の外部放出によって吸引効果が生み出され、シール部が装着者の顔を押圧して適度にシールすることができる。
【０００５】
しかしながら、吸引力を利用して適度にシールしようとすると、装着者にとっては相当な不快感を招くことになる。前記のような不快感を招くということは、ゴーグルを外した時に眼窩の周りに赤い跡が通常できることから明らかである。このような赤い跡は、顔の細胞組織や皮下の筋肉組織の変形を招く原因となる。
【０００６】
本発明は、装着者の顔に実質的に適合するように予備成形された（すなわち、大きな圧力を加えなくても装着者の顔の形状に適合させることができる）ゴーグルのレンズカップ用のシール部を提供することを課題とする。したがって、シール部と装着者の顔の両方又はいずれか一方が大きく変形せずに適度なシールを実現することができるので、レンズカップで装着者の顔に適度にシールをする場合、必要な圧力を小さくすることができる。
【課題を解決するための手段】
【０００７】
本発明の第１態様として、以下の構成のゴーグルを提供する。後方外周端部を有するレンズカップと、該レンズカップの後方外周端部の周りを延在し、装着者の顔をシールする外周シール部とを備えるゴーグルにおいて、前記外周シール部が、装着者の顔の眼窩の周りの輪郭に実質的に対応するように予備成形されたフェースコンタクト面を有する。
【０００８】
装着者の眼窩の周りの顔の輪郭は、眼窩近傍の上顎骨、頬骨、及び前頭骨と、前頭骨及び上顎骨に接する鼻骨の側面部とに隣接した領域で規定されるのが好ましい。
【０００９】
「予備成形」という言葉は、装着者の顔に接触する前に眼窩の周りの輪郭に実質的に対応するような形状で構成されているこという。フェースコンタクト面とは、ゴーグルを装着した場合に顔と接触する外周シール部の面をいう。
【００１０】
外周シール部は、レンズカップと一体的に構成されていてもよく、例えば、レンズカップ自体の後方外周端部（リム部）を構成するようなものであってもよい。外周シール部をレンズカップと一体化するように構成すれば、ゴーグルを簡易に製造することができる。さらに、ゴーグルを弾力性があるように構成すれば、誤って破損するようなことがほとんどなくなる。また、厚みを薄くすれば、眉の前方に突出する度合いを小さくすることができ、間接的に、流体力学上の性能を向上させることができる。
【００１１】
前記構成の代わりに、外周シール部は、ガスケットやパッドのように、レンズカップの後方外周端部に固定される別個の部材で構成されてもよい。前記ガスケットは、ゴム材で構成され、後方外周端部の形状に対応するように、前記後方外周端部に沿って取り付けられてもよい。前記パッドには、例えばゲル状の粘着性充填物資が充填されてもよい。前記パッドの外周シール部の断面形状をＵ字状に構成して、Ｕ字状の断面形状とレンズカップの後方外周端部によって規定される空洞部に、前記充填物質を充填してもよい。Ｕ字状の断面形状のベース部は、フェースコンタクト面によって形成される。Ｕ字状の外周シール部は、管状の外周シール部に比較して折曲部分が少ない。それにもかかわらず、前記構成の代わりに、外周シール部を管状に構成してもよい。管状の外周シール部は、通常、円形、楕円状、多角形状等の断面形状で構成される。前記管状の外周シール部だけで、充填物質を充填することができる空洞部を形成することができる。レンズカップの後方外周端部は、空洞部が後方外周端部の周り全体で実質的に同一の深さを維持するように、パッドの外周シール部のフェースコンタクト面と一致又は類似する形状で構成されるのが好ましい。前記のような構成であれば、構造をさらに簡易にすることが可能となる。
【００１２】
外周シール部をガスケット又はパッドで構成する場合、外周シール部は、弾性変形可能であってもよい。したがって、外周シール部のフェースコンタクト面が装着者の顔に正確に適合しない場合には、外周シール部を変形させて輪郭と適合しない箇所を調整することができる。一方、レンズカップの後方外周端部が外周シール部を構成し、かつ、硬質である場合には、装着者の顔の細胞に歪みを加えて輪郭と適合しない箇所を調整することになる。しかしながら、フェースコンタクト面は、装着者の顔の輪郭に実質的に対応するように予備成形されているので、顔の細胞に対する歪みが最小限の範囲にとどまり、従来のゴーグルよりも歪みの程度が小さい。したがって、外周シール部と装着者の顔との間に効果的なシールをするために必要とされる接触力は、相対的に低い。これにより、装着者に与える不快感を緩和することができる。具体的には、細胞組織や皮下の筋肉組織に対する歪みを最小限にして、顔に赤い跡が残る可能性を低くすることができる。高い接触力を必要としないので、ヘッドストラップの締め付けを相対的に低くしたまま、装着者の顔にゴーグルを保持することができる。
【００１３】
外周シール部は、フランジ部を備えていてもよい。フランジ部は、フェースコンタクト面から突出する。フランジ部は、フェースコンタクト面の外周又はフェースコンタクト面の一部の周りに延在する。フランジ部は、顔と接触した時に変形するように、弾性変形可能であることが好ましく、例えば、ゴム材からなる。外周シール部が硬質であれば変形機能を付加してシール機能を改善する必要があるので、レンズカップの後方外周端部がフェースコンタクト面を構成している場合には、フランジ部は特に有効な機能を発揮する。それにもかかわらず、フランジ部は、従来のゴーグルに比較して小さく構成され、補助シールとして機能し、外周シール部のシール機能を向上させる。
【００１４】
外周シール部のフェースコンタクト面は、「平均的な」装着者の顔の輪郭に対応するように予備成形されてもよい。人間の顔の構造は、例えば、民族的背景、性別、年齢等の人口統計上のグループごとによって顕著に異なるので、フェースコンタクト面は、特定の人口統計上のグループに属する人間の顔の平均的な輪郭に実質的に対応するように予備成形されるのが好ましい。したがって、本発明に係るゴーグルにおいては、白人の成人男性、アフリカの成人女性、中国の男児等で区分された人口統計上のグループごとに提供される変形例が、多数存在してもよい。人口統計上のグループに区分された装着者に合う外周シール部を使用できるように、外周シール部と装着者の顔の両方又はいずれか一方を変形させて適切なシールを行うことが必要とされる。
【００１５】
前記構成の代わりとして、フェースコンタクト面は、特定の装着者用に予備成形されてもよい。前記構成を実現するために、製造前に、装着者の顔等の型を成形する必要がある。
【００１６】
フェースコンタクト面は、装着者の顔の眼窩の周りの輪郭に実質的に対応するように予備成形されているので、装着者の顔の適切な位置に配置するのに必要な外周シール部の調整を少なくすることができる。さらに、フェースコンタクト面は、装着者の顔の眼窩の周りの輪郭に実質的に対応するように予備成形されているので、外周シール部の深さを相対的に浅くしてもよく、例えば、１０ｍｍ以下、又は５ｍｍ以下の深さでもよい。したがって、外周シール部は、装着者の視野を遮るようなことがない。さらに、フェースコンタクト面の形状は、必ずしも凹状にする必要がないので、外周シール部とレンズカップの両方又はいずれか一方を容易に成形することができる。
【００１７】
外周シール部についてさらに詳細に説明するために、レンズカップ、外周シール部、フェースコンタクト面のｘ軸方向、ｙ軸方向、ｚ軸方向の３方向及び外周シール部の種々の領域について規定する。ｚ軸方向は、（後述するように、）フェースコンタクト面の最適平面に対して垂直方向にある。ｚ軸方向とは、レンズカップを装着した場合に装着者の眼の瞳孔中央の面に対して略垂直に位置する方向である。ｚ軸方向の軸の０点は、最適平面に位置し、軸の正方向は使用する装着者の眼に向かう方向をいい、負の方向は装着者の眼から離れる方向をいう。ｘ軸方向とｙ軸方向は、（ｚ軸方向に対して垂直となる）フェースコンタクト面の最適平面に沿って相互に垂直となるように配置される。
【００１８】
本明細書において、外周シール部は、内側面領域、外側面領域、上方領域、下方領域からなる４つの領域に分割される。内側面領域は、外周シール部において装着者の鼻に隣接する領域をいう。内側面領域は、外周シール部の内側面端部に配置される。外側面領域は、ｘ軸方向から見て前記内側面領域の外周シール部の反対側に位置し、外周シール部において、装着時に装着者の耳側に位置する領域をいう。外側面領域は、外周シール部の外側面端部に配置される。上方領域は、外周シール部において、装着時に装着者の顔面上部側に位置する領域をいい、下方領域は、外周シール部において、装着時に装着者の顎側に位置する領域をいう。
【００１９】
図１には、本発明の理解を補助するために、装着者の顔面の眼窩に隣接する適切な位置に配置された状態の本発明に係るレンズカップのシール部１のフェースコンタクト面１１が例示されている。図１には、内側面領域を示す１２（破線で表された円１２）、（破線で表された円１３）外側面領域を示す１３、上方領域を示す１４、下方領域を示す１５、内側面端部を示す１６、及び外側面端部を示す１７と共に、ｘ軸方向、ｙ軸方向及びｚ軸方向の矢印が付されている。図２（ａ）には、フェースコンタクト面上に、均等に配置された点２１が示されている。図２（ｂ）に示すように、前記の点２１を利用して、最適平面の位置が決定される。
【００２０】
フェースコンタクト面の中心軸は、レンズカップの外周縁部の周りを延在するフェースコンタクト面の中央に沿ったラインである。前記のように、特定の位置におけるフェースコンタクト面の幅は、前記中心軸に対して垂直な方向となるフェースコンタクト面の側面部間の距離により決定される。（図１の破線は、フェースコンタクト面１１の中心軸２３を示し、例示の位置におけるフェースコンタクト面１１の幅が、矢印２４で示されている。）
【００２１】
フェースコンタクト面の幅は、上方領域や下方領域よりも内側面と外側面の両方又はいずれか一方の領域の方が広いのが好ましい。
【００２２】
フェースコンタクト面は広く構成すれば、フェースコンタクト面の順応力が向上する。内側面領域は、通常、鼻骨に隣接した状態で装着者の顔に接触するので、フェースコンタクト面を広く構成した場合、前記フェースコンタクト面は内側面領域において特に有効に機能する。前記鼻骨部分は、相対的に柔軟性がなく順応力が働きにくい部分であり、装着者によってそれぞれ異なる部分である。フェースコンタクト面の順応力を相対的に向上させれば、実際の装着者と外周シール部の構成に想定された「平均的な」装着者との間で生じる誤差を、簡単に調整することができ、シールを効果的に施すことが可能となる。フェースコンタクト面の幅は、内側面領域において、５ｍｍ〜９ｍｍであるのが好ましい。
【００２３】
通常、フェースコンタクト面の外側面領域に加わる接触力は低いので、フェースコンタクト面は、外側面領域において、相対的に広く構成されるのが好ましい。フェースコンタクト面を広く構成すれば、外側面領域における接触力が低いにもかかわらず、フェースコンタクト面と顔との間のシール力が向上する。外側面領域における圧力は、他の場所に比べて低く、外周シール部の外側面領域おける圧力のほとんどが、ゴーグルのヘッドストラップを介して加わるものであり、その圧力は、外周シール部と装着者の顔の接触方向に対して略垂直方向に働く。フェースコンタクト面の幅は、外側面領域において、８ｍｍ〜１２ｍｍであるのが好ましい。
【００２４】
ｘ軸空間におけるフェースコンタクト面の長さとｙ軸空間におけるフェースコンタクト面の長さの比率が、１：４〜１：５であるのが好ましい。フェースコンタクト面の上方領域と下方領域との間のｙ軸方向における間隔が、最大で５０ｍｍであるのが好ましい。これにより、装着時に目やまぶたを自然に動かしても、レンズカップ３１が邪魔になるのを抑制又は防止することができる。
【００２５】
フェースコンタクト面は、ｘ軸方向において、内側面端部から外側面端部に向かって延在するとともに、ｚ軸方向において湾曲するのが好ましい。ｚ軸方向における最適平面からのフェースコンタクト面の偏差は、最適平面の片側において、好ましくは最低でも２ｍｍ、より好ましくは３ｍｍ、さらに好ましくは５ｍｍの範囲であればよい。ｚ軸方向における全体の偏差は、好ましくは最低でも５ｍｍ、より好ましくは最低でも１０ｍｍであればよい。前記のような湾曲度で構成された場合、フェースコンタクト面は、装着者の顔の輪郭に実質的に対応することができる。
【００２６】
非最適平面上にある（最適平面上にない）内側面領域４２及び外側面領域４３のフェースコンタクト面の角度は、ｘｙ平面に対して３０度〜６０度の角度で構成されるのが好ましい。これにより、内側面領域及び外側面領域におけるフェースコンタクト面の向きは、略同一方向となる。非最適平面上にある上方領域及び下方領域のフェースコンタクト面のｘｙ平面に対する角度は、内側面領域及び外側面領域に比べて緩やかに構成されるのが好ましい。具体的には、上方領域及び下方領域におけるフェースコンタクト面のｘｙ平面に対する角度は、略０度又は０度となり、上方領域及び下方領域において、フェースコンタクト面は、ｘｙ平面に対して実質的に平行となる。
【００２７】
フェースコンタクト面は、外周シール部の側面部を介してレンズカップの他の部分に連結されてもよい。また、上述のように、外周シール部がレンズカップと一体的に構成される場合には、フェースコンタクト面は、レンズカップの側壁に直接連結されてもよい。フェースコンタクト面と側面部との間が円滑に移行するように構成されるのが好ましい。円滑に移行するような構成が簡単に実現できるようにフェースコンタクト面と側面部との間に湾曲角部を設けてもよい。前記湾曲角部の代わりに、角部を設けないで側面部と融合するような形状でフェースコンタクト面を構成してもよい。円滑に移行するように構成すれば、装着者の装着感を向上させることができる。フェースコンタクト面の内側面領域における湾曲角部は、１．２ｍｍ〜３ｍｍの半径で構成されるのが好ましい。上述のように、フェースコンタクト面と装着者の顔の接触力が内側面領域において相対的に高く、装着者はフェースコンタクト面と側面部との間の連結部分である角部の鋭さに注目するので、円滑に移行するように内側面領域を構成することが特に重要となる。
【００２８】
本発明の第２態様として、以下の構成のゴーグルを提供する。後方外周端部を有するレンズカップと、該レンズカップの後方外周端部の周りを延在し、装着者の顔をシールする外周シール部とを備えるゴーグルにおいて、前記外周シール部の向きが、ｘ軸方向、ｙ軸方向、及びｚ軸方向のいずれか２方向又は全３方向に対して連続的に変更しながら前記レンズカップの後方外周端部の周りを延在する。
【００２９】
本発明については、第１の態様と第２の態様の１つ以上の特徴を組み合せてもよい。
【００３０】
フェースコンタクト面が、後方外周端部の一部の周りでは、ｘ軸方向、ｙ軸方向、及びｚ軸方向のうちの２方向に対して向きを変更しながら延在し、前記部分と異なる前記後方外周端部の一部の周りでは、前記方向とは異なる２方向に対して向きを変更しながら延在してもよい。例えば、フェースコンタクト面が、ｘ軸方向及びｚ軸方向に対して向きを変更しながら後方外周端部の一部の周りを延在するのに対し、ｙ軸方向及びｚ軸方向に対して向きを変更しながら前記部分と異なる後方外周端部の一部の周りを延在する。
【００３１】
さらに、フェースコンタクト面が、後方外周端部の一部の周りでは、ｘ軸方向、ｙ軸方向、及びｚ軸方向のうちの２方向に対して向きを変更しながら延在し、前記部分と異なる後方外周端部の一部の周りでは、ｘ軸方向、ｙ軸方向、及びｚ軸方向の全３方向に対して向きを変更しながら延在してもよい。例えば、フェースコンタクト面が、ｘ軸方向、ｙ軸方向、ｚ軸方向に対して向きを変更しながら後方外周端部の一部の周りを延在するのに対し、ｙ軸方向及びｚ軸方向に対してのみ向きを変更しながら前記部分と異なる後方外周端部の一部の周りを延在する。
【００３２】
フェースコンタクト面が、ｘ軸方向、ｙ軸方向、ｚ軸方向の全方向に対して向きを連続的に変更しながら前記後方外周端部全体の周りを延在するのが好ましい。
【００３３】
ｘ軸方向、ｙ軸方向、ｚ軸方向の２方向又は全方向に対して向きを連続的に変更するように構成すれば、フェースコンタクト面が、装着者の顔の輪郭に実質的に対応することができる。
【００３４】
レンズカップは、ｘ軸方向、ｙ軸方向、ｚ軸方向に対して湾曲しているのが好ましい。前記のようにレンズカップが湾曲するように構成されていれば、使用時の流体力学的抗力を低減して、ゴーグルの性能を向上させることができる。
【００３５】
本発明の第３の態様として、本発明の第１の態様及び第２の態様に実質的に記載されたゴーグル用外周シール部を提供する。
【発明を実施するための最良の形態】
【００３６】
添付の図面を参照して、本発明の実施形態を説明する。
【００３７】
図３は、本発明の第１実施形態に係るゴーグル３を示したものである。ゴーグル３は、レンズカップ３１を２つ有する。レンズカップ３１の内側面３２には、装着者の鼻を横断して延在する連結片３３が取り付けられ、該連結片３３を介して、レンズカップ３１が相互に連結されている。ヘッドストラップ３４は、レンズカップ３１の外側面３６のストラップ取付部３５に取り付けられ、装着者の後頭部の周りを締め付けてゴーグル３を適切な位置に保持する。
【００３８】
図４を参照すると、レンズカップ３１の後方には、それぞれ、外周シール部４が設けられる。外周シール部４は、レンズカップ３１の後方の空間領域を覆い、装着者の顔に対してシールを施す。外周シール部４は、略楕円状に構成され、レンズカップ３１の後方の外周端部に連結される。外周シール部４は、レンズカップ３１の後方の外周端部の周りに延在している。
【００３９】
本実施形態では、外周シール部４の断面形状が、略Ｕ字状に構成され、このＵ字形の断面形状とレンズカップ３１の後方の外周端部に対応する形状によって形成される空洞部に充填物質が充填される。充填物質としては、外周シール部４を弾性変形可能に構成し、かつ、十分なクッション性を持つようなゲル状の物質を使用する。
【００４０】
各レンズカップ３１の外周シール部４は、フェースコンタクト面４１を有する。フェースコンタクト面４１は、使用時に、通常、装着者の顔の眼窩の周りと接触する。外周シール部４は、装着者の顔の輪郭に対応するような形状で構成される。具体的には、外周シール部４は、頬骨と前頭骨の湾曲及び鼻骨の側面で規定される顔の輪郭に対応するように構成される。このように形状を「予備成形」すれば、外周シール部４の変形をほとんど必要とせず、あるいは、全く必要とせずに、装着者の顔面に対して適度なシールをすることが可能である。各レンズカップ３１の後方の外周端部は、フェースコンタクト面４１に類似するような輪郭で構成される。
【００４１】
フェースコンタクト面４１は、レンズカップ３１の後方の外周端部の周りに延在するとともに、その向きが、ｘ軸方向、ｙ軸方向、及びｚ軸方向のいずれか２方向又は全３方向に対して連続的に変更する。
【００４２】
図５（ａ）及び図６（ａ）に示すように、フェースコンタクト面４１は、内側面領域４２の内側面端部４７と外側面領域４３の外側面端部４６において、フェースコンタクト面４１の幅方向の角度が近似するように構成される。前記の２つの位置におけるフェースコンタクト面４１の向きは、略同一方向となり、ｘｙ平面に対して３０度〜６０度の角度を構成する。フェースコンタクト面４１の内側面領域４２と外側面領域４３の間に位置する上方領域４４と下方領域４５上では、フェースコンタクト面４１は、その向きを徐々に変更する。
【００４３】
具体的には、上方領域４４を介して内側面領域４２から外側面領域４３まで延在するフェースコンタクト面４１では、（最適平面上でない）フェースコンタクト面４１の非最適平面が、ｚ軸の周りを反時計回りに湾曲する。前記非最適平面が湾曲するとともに、前記フェースコンタクト面の角度又は傾斜は、内側面領域４２においては、ｘｙ平面に対して３０度〜６０度の角度で変位する。また、前記角度又は傾斜は、上方領域４４においては、ｘｙ平面に対して０度（すなわち、ｘｙ平面に対して平行又は略平行な方向）に向かって変位し、さらに、外側面領域４３においては、再び、ｘｙ平面に対して３０度〜６０度の角度で変位する。一方、下方領域４５を介して内側面領域４２から外側面領域４３まで延在するフェースコンタクト面４１では、フェースコンタクト面４１の非最適平面が、ｚ軸の周りを時計回りに湾曲する。前記非最適平面が湾曲するとともに、前記フェースコンタクト面の角度又は傾斜は、内側面領域４２においては、ｘｙ平面に対して３０度〜６０度の角度で変位する。また、前記角度又は傾斜は、下方領域４５においては、ｘｙ平面に対して０度（すなわち、ｘｙ平面に対して平行又は略平行な方向）に向かって変位し、さらに、外側面領域４３においては、再び、ｘｙ平面に対して３０度〜６０度の角度で変位する。
【００４４】
フェースコンタクト面４１の幅は、内側面領域４２及び外側面領域４３の方が、上方領域４４及び下方領域４５よりも広く構成されている。
【００４５】
内側面領域４２のフェースコンタクト面４１の幅は、５ｍｍ〜９ｍｍ前後で構成される。通常、内側面領域４２から顔に加わる圧力は相対的に高いので、内側面領域４２におけるフェースコンタクト面４１は、広く構成されるのが望ましい。フェースコンタクト面４１を広く構成すれば、装着者の顔に加わる圧力が均等に分散するので、装着の不快感が緩和され、かつ、装着者の顔に赤い跡が残る可能性を低くすることができる。内側面領域４２の位置に加わる圧力は、通常、他の位置と比較して高くなるが、これは、外周シール部４の内側面領域４２における圧力のほとんどが、外周シール部４を装着者の鼻骨側に引き寄せるゴーグル３の連結片３３を介して加わるからである。
【００４６】
外側面領域４３のフェースコンタクト面４１の幅は、８ｍｍ〜１２ｍｍ前後で構成される。通常、外側面領域４３から顔に加わる圧力は相対的に低いが、外側面領域４３におけるフェースコンタクト面４１は、広く構成されるのが望ましい。フェースコンタクト面４１を広く構成すれば、外側面領域４３における接触力が弱くても、フェースコンタクト面４１と顔との間のシール力を高めることができる。外側面領域４３の位置に加わる圧力は、通常、比較的低いものとなるが、これは、外周シール部４の外側面領域４３における圧力のほとんどが、ゴーグル３のヘッドストラップ３３を介して、外周シール部４と装着者の顔との接触方向に対して略垂直な方向に向かって加わるからである。
【００４７】
外周シール部４は、フェースコンタクト面４１の側面からｚ軸方向に対して略前方に延在する内側面部４８と外側面部４９とを備える。内側面部４８と外側面部４９は、前記のようにＵ字形状の２つの側面部を構成するものであり、レンズカップ３１のフェースコンタクト面４１に連結される。内側面部４８と外側面部４９は、外周シール部４の深さが５ｍｍ前後に構成されるように、５ｍｍ前後の高さで構成される。
【００４８】
連結部分に湾曲角部４８１，４９１を設け、フェースコンタクト面４１と内外の側面部との間を滑らかに構成する。前記連結部分を滑らかに構成することで、装着者の装着感を向上させることができる。フェースコンタクト面４１の内側面領域４２における湾曲角部４８１，４９１の半径は、１．２ｍｍ〜３ｍｍで構成されるのが好ましい。フェースコンタクト面４１と装着者の顔との間に加わる接触力が、内側面領域４２では大きく、かつ、フェースコンタクト面４１と内外の側面部４８，４９との連結部分である角部が鋭角に構成されていれば装着者が注目するので、前記連結部分を滑らかに構成するのは、内側面領域４２において特に重要となる。
【００４９】
図５（ｂ）及び図６（ｂ）を参照すると、フェースコンタクト面４１、すなわち外周シール部４全体は、ｚ軸方向において大きく湾曲している。フェースコンタクト面４１の最適平面からの偏差の範囲は、（例えば、図２（ｂ）の矢印５１に示す）ｚ軸の正の方向において５ｍｍ前後であり、（例えば、図２（ｂ）の矢印５２に示す）ｚ軸の負の方向において８ｍｍ前後である。前記のような湾曲度であれば、フェースコンタクト面４１が、眼窩周辺の装着者の顔の輪郭に実質的に対応できる。
【００５０】
図５（ａ）の矢印５３で示すｘ軸空間におけるフェースコンタクト面４１の長さと、図５（ａ）の矢印５４で示すｙ軸空間におけるフェースコンタクト面４１の長さとの比率は、１：４前後である。フェースコンタクト面４１の軸方向における上方領域４４と下方領域４５との間の距離は、３５ｍｍ前後である。前記のようなサイズ構成によれば、装着時に目やまぶたを自然に動かしても、外周シール部４及びレンズカップ３１が邪魔になることがない。
【００５１】
図７（ａ）、図７（ｂ）、図８（ａ）、図８（ｂ）及び図９（ａ）〜（ｃ）には、本発明の第２実施形態に係るゴーグルの外周シール部６が示されている。
【００５２】
前記外周シール部６は、本発明の第１実施形態に係る外周シール部４と類似し、類似の効果を提供するものである。しかしながら、両者には少なくとも２つの大きな相違点がある。まず、第１に、外周シール部６は、管状に構成されている。したがって、ゲル状物質のような充填物質（不図示）は、外周シール部６の空洞部内に完全に密閉された状態で充填されることになる。（管状形状を構成するように、外周シール部６には、フェースコンタクト面６１と、内側面部６８及び外側面部６９と、後方パネル部６１１とが設けられている。）さらに、フェースコンタクト面６１は、内側面部６８及び外側面部６９との間に角部を設けることなく、前記内側面部６８及び外側面部６９と一体的に構成されている。フェースコンタクト面６１に角部が設けられていないため、フェースコンタクト面６１の構成は、さらに滑らかなものとなる。その結果、装着者にとっては、装着感が向上することになる。外周シール部６が管状形状に構成されている点、及びフェースコンタクト面６１と内側面部６８及び外側面部６９との連結部分が滑らかに構成されている点については、図７（ａ）のＡ−Ａ線断面図、Ｂ−Ｂ線断面図、及びＣ−Ｃ線断面図である図９（ａ）〜（ｃ）を参照すれば、最も容易に理解することができる。
【００５３】
図９（ａ）に示すように、外側面領域６３における、外周シール部６の断面形状は、相対的に平坦状に構成されている。図９（ｂ）に示すように、内側面領域６２における、外周シール部６の断面形状は、非対称であるのに対し、図９（ｃ）に示すように、上方領域６４における、外周シール部６の断面形状は、相対的に対称である。
【００５４】
図１０（ａ）〜（ｃ）には、本発明の第３実施形態に係るゴーグルの外周シール部７が示されている。前記外周シール部７は、レンズカップ８と一体的に構成されている。レンズカップ８の後方外周端部には、外周シール部７のフェースコンタクト面７１が設けられている。フェースコンタクト面７１は、装着者の眼窩の周りの輪郭に対応するように、第１実施形態に係る外周シール部４及び第２実施形態に係る外周シール部６とほぼ同一の形状で構成されている。しかしながら、外周シール部７は、フランジ部７９を備える。フランジ部７９は、フェースコンタクト面７１の外側面領域７３のみから延在する。フランジ部７９は、外側面領域７３におけるフェースコンタクト面７１の中心軸に沿って設けられている。フランジ部７９は、弾性変形可能で、外周シール部７の補助シール面を構成し、外周シール部７のシール機能を向上させる。フェースコンタクト面７１と顔の外側面領域との間に加わる圧力を非常に低くした場合、前記のような外側面領域の位置で効果的なシールを施すことはさらに困難となるので、外側面領域７３にフランジ部７９を設けることは、特に有効なものとなる。
【図面の簡単な説明】
【００５５】
【図１】本発明の外周シール部のフェースコンタクト面について、装着者の顔への装着位置を示したものである。
【図２】本発明のフェースコンタクト面の最適平面の決定方法を示したものである。
【図３】本発明の第１実施形態に係るゴーグルの前方斜視図である。
【図４】図３のゴーグルの後方斜視図である。
【図５】（ａ）は陰を表した図３のゴーグルに使用される外周シール部の背面図であり、（ｂ）は陰を表した前記外周シール部の底面図である。
【図６】（ａ）は図３のゴーグルに使用される外周シール部の線画の背面図であり、（ｂ）は前記外周シール部の線画の底面図である。
【図７】（ａ）は陰を表した本発明の第２実施形態に係るゴーグルに使用される外周シール部の背面図であり、（ｂ）は陰を表した前記外周シール部の底面図である。
【図８】（ａ）は図７（ａ）及び（ｂ）の外周シール部の線画の背面図であり、（ｂ）は前記外周シール部の線画の底面図である。
【図９】（ａ）は図７（ａ）の外周シール部のＡ−Ａ線断面図であり、（ａ）は図７（ａ）の外周シール部のＢ−Ｂ線断面図であり、（ａ）は図７（ａ）の外周シール部のＣ−Ｃ線断面図である。
【図１０】（ａ）はレンズカップと一体的に構成された本発明の第３実施形態に係る外周シール部の斜視図であり、（ｂ）は前記外周シール部の背面図であり、（ｃ）は前記外周シール部の平面図である。
【符号の説明】
【００５６】
３  ゴーグル
３１  レンズカップ
３２  レンズカップの内側面
３３  連結片
３４  ヘッドストラップ
３５  ストラップ取付部
３６  レンズカップの内側面
４，６  外周シール部
４１  フェースコンタクト面
４２  フェースコンタクト面の内側面領域
４３  フェースコンタクト面の外側面領域
４４  フェースコンタクト面の上方領域
４５  フェースコンタクト面の下方領域
４６  外側面領域の外側面端部
４７  内側面領域の内側面端部
４８  フェースコンタクト面の内側面部
４９  フェースコンタクト面の外側面部
６  外周シール部
６１  フェースコンタクト面
６２  フェースコンタクト面の内側面領域
６３  フェースコンタクト面の外側面領域
６４  フェースコンタクト面の上方領域
６５  フェースコンタクト面の下方領域
６８  フェースコンタクト面の内側面部
６９  フェースコンタクト面の外側面部
６１１  後方パネル部
７  外周シール部
７１  フェースコンタクト面
７３  フェースコンタクト面の外側面領域
７９  フランジ部
８  レンズカップ
【図１】
0005403878.tif 000002
【図２】
0005403878.tif 000003
【図３】
0005403878.tif 000004
【図４】
0005403878.tif 000005
【図５】
0005403878.tif 000006
【図６】
0005403878.tif 000007
【図７】
0005403878.tif 000008
【図８】
0005403878.tif 000009
【図９】
0005403878.tif 000010
【図１０】
0005403878.tif 000011